(57)【要約】【課題】  ＭＷＭサーバ１からの患者特殊情報とモダリティ２からの画像情報とをモダリティ２の仕様の影響を受けずに、画像サーバ３に登録できるようにする。【解決手段】  モダリティ２に付設したゲートウェイ１０にＬＡＮ４を介して患者情報と患者特殊情報とを備えるＭＷＭサーバ１と画像サーバ３とを接続し、ゲートウェイ１０は、ＭＷＭサーバ１から患者情報と患者特殊情報とを受信する患者規格情報・患者特殊情報受信手段２１と、受信した患者情報をモダリティ２に送信する患者情報送信手段２２と、モダリティ２から画像情報を受信する画像情報受信手段２３と、受信した画像情報の患者ＩＤと送信した患者情報の患者ＩＤとを照合する患者ＩＤ照合手段２４と、照合結果が一致の場合、受信した画像情報に患者特殊情報を付加して画像サーバ３に送信する画像情報・患者特殊情報送信手段２５を備えている。【選択図】図１
2005196253.tif 000002
【特許請求の範囲】
【請求項１】
ＭＷＭ（患者情報取得機能）サーバとモダリティと画像サーバとに、通信ネットワークを介してゲートウェイを接続し、ＤＩＣＯＭ規格（医療画像機器のためのネットワーク規格）に基づいて医療情報の送受信を行うシステムであって、
前記ゲートウェイは、前記ＭＷＭサーバから、ＤＩＣＯＭ規格の患者を特定した患者ＩＤを含む患者情報とその患者情報に属するＤＩＣＯＭ規格に無い患者特殊情報とをＭＷＭにより取得して受信するための患者規格情報・患者特殊情報受信手段と、
前記モダリティから、患者情報送信要求信号に応答して、前記患者規格情報・患者特殊情報受信手段で受信した前記患者情報を前記モダリティに送信するための患者情報送信手段と、
前記モダリティから、検査時の撮影画像と前記患者ＩＤとを含む画像情報を受信するための画像情報受信手段と、
前記画像情報受信手段で受信した前記画像情報の患者ＩＤと前記患者情報送信手段で送信した前記患者情報の患者ＩＤとを照合するための患者ＩＤ照合手段と、
前記患者ＩＤ照合手段で照合した照合結果が一致した場合のみ、前記画像情報受信手段で受信した前記画像情報に、前記患者規格情報・患者特殊情報受信手段で受信した前記患者特殊情報を付加して前記画像サーバに送信するための画像情報・患者特殊情報送信手段とを備えていることを特徴とする医療情報送受信システム。
【請求項２】
ＭＷＭサーバとモダリティと画像サーバとに、通信ネットワークを介してゲートウェイを接続し、ＤＩＣＯＭ規格に基づいて医療医療情報の送受信を行うシステムで用いられる医療情報送受信方法であって、
前記ゲートウェイは、前記ＭＷＭサーバから、ＤＩＣＯＭ規格の患者を特定した患者ＩＤを含む患者情報とその患者情報に属するＤＩＣＯＭ規格に無い患者特殊情報とをＭＷＭにより取得して受信するための患者規格情報・患者特殊情報受信ステップと、
前記モダリティから、患者情報送信要求信号に応答して、前記患者規格情報・患者特殊情報受信ステップで受信した前記患者情報を前記モダリティに送信するための患者情報送信ステップと、
前記モダリティから、検査時の撮影画像と前記患者ＩＤとを含む画像情報を受信するための画像情報受信ステップと、
前記画像情報受信ステップで受信した前記画像情報の患者ＩＤと前記患者情報送信ステップで送信した前記患者情報の患者ＩＤとを照合するための患者ＩＤ照合ステップと、
前記患者ＩＤ照合ステップで照合した照合結果が一致した場合のみ、前記画像情報受信ステップで受信した前記画像情報に、前記患者規格情報・患者特殊情報ステップ手段で受信した前記患者特殊情報を付加して前記画像サーバに送信するための画像情報・患者特殊情報送信ステップとを備えていることを特徴とする医療情報送受信方法。
【発明の詳細な説明】
【技術分野】
【０００１】
この発明は、医療情報送受信システム及び医療情報送受信方法に係り、詳しくは、ＭＷＭサーバと、超音波画像診断装置や電子内視鏡装置等のモダリティと、画像サーバとに、通信ネットワークを介してゲートウェイを接続して、ＤＩＣＯＭ規格（Digital Imaging and COmunications in Medicine:医療画像機器のためのネットワーク規格）に基づいて医療医療情報の送受信を行うシステム及びその方法に関する。
【背景技術】
【０００２】
近年、ＨＩＳ（Hospital Information System：病院情報システム）は、診療報酬処理から発展拡大し、業務管理システムとして多くの医療機関で活用されている。また、ＨＩＳからの情報を業務管理だけではなく、患者の診療にも役立てるシステムへと拡張するために、検査データのオンライン化や電子カルテ化等も始められており、モダリティメーカも同業他社のコンピュータとの接続による情報交換のために、医療分野での標準的なフォーマットであるＤＩＣＯＭ規格を取り入れ、モダリティとの接続による患者情報の取得等を行うようになってきている。
【０００３】
具体的には、各病院に導入されているＨＩＳ／ＲＩＳ（Radiology Information System：放射線情報システム）では、ＤＩＣＯＭ規格のＭＷＭ（Modarity Worklist Management：患者情報取得機能）を使用し、患者情報をＤＩＣＯＭタグに付加することによって、その取得が行われている。
【０００４】
ＤＩＣＯＭ規格に基づいた医療医療情報の送受信に関する従来技術例として、特許文献１に開示されている「医用画像転送装置及び該装置を備えた病院システム並びに医用画像転送方法」によれば、ＨＩＳやＲＩＳから患者情報（患者を特定する情報、検査予約に関わる情報、検査条件に関わる情報）を取り込み、ＤＩＣＯＭ非対応のモダリティから取得した画像情報から画像データをＯＣＲ機能で読み取って自動的に患者情報を抽出し、ＨＩＳやＲＩＳからの患者情報と画像データから抽出した患者情報とを比較し、比較の結果、一致しないときは、操作者に警告する。また、画像データに患者情報を付加してＤＩＣＯＭ対応の医用画像記録装置に出力する医用画像転送装置によって、医用画像情報の共用を行う。
【０００５】
【特許文献１】特開２００３−２４８７２３号公報（第１−１０頁）
【発明の開示】
【発明が解決しようとする課題】
【０００６】
ところで、ＤＩＣＯＭ規格の患者情報（例えば、患者ＩＤ、患者名、生年月日、性別等に関する情報）以外にも、ＤＩＣＯＭ規格に無い患者特殊情報を既に扱っている病院が多く、患者情報に加えて患者特殊情報も電子カルテにリンクさせることが望ましい。
そこで、患者特殊情報を取り込むにあたって、ＭＷＭサーバからの患者特殊情報をモダリティに送信する際に、各モダリティメーカは、それぞれのモダリティ毎に患者特殊情報のプライベートタグを設けることによって、患者情報に加えて患者特殊情報も電子カルテにリンクできるように対処している。
【０００７】
しかしながら、その対応方法は、モダリティ側の仕様の影響を受けるため、対応費用もモダリティ毎に要し、費用の増大に繋がっている問題が発生している。
また、既に納入済みのＤＩＣＯＭ対応のモダリティの中には、必要な患者特殊情報を格納するためのメモリ領域が不足する場合もあって、必要な患者特殊情報を取り込むことができず、電子カルテとしての患者特殊情報の統一が図れない、という問題もある。
【０００８】
加えて、特許文献１の従来技術例においては、ＤＩＣＯＭ非対応のモダリティから取得した画像情報から、画像データをＯＣＲ機能で読み取って自動的に患者情報（例えば、患者を特定する情報、検査予約に関わる情報、検査条件に関わる情報等）を抽出するためには、ＤＩＣＯＭ非対応のモダリティ毎に、その画像データのフォーマットとデータ変換仕様を把握する必要がある。このことは、モダリティ側の仕様の影響を受けることになり、上述の問題を解決するための手段は含まれていない。
【０００９】
この発明は、上述の事情に鑑みてなされたもので、ＤＩＣＯＭ規格のＭＷＭを使用して、ＭＷＭサーバからの患者情報と患者特殊情報とを取得し、モダリティからの画像情報に患者特殊情報を付加して画像サーバに登録するプロセスにおいて、患者特殊情報を付加するためのモダリティ側の仕様の影響を受けることなく、ＤＩＣＯＭ規格に基づいた医療情報送受信システム及びその方法を提供することを目的としている。
【課題を解決するための手段】
【００１０】
上記課題を解決するために、請求項１に記載の発明は、ＭＷＭサーバとモダリティと画像サーバとに、通信ネットワークを介してゲートウェイを接続し、ＤＩＣＯＭ規格に基づいて医療医療情報の送受信を行う医療情報送受信システムであって、
上記ゲートウェイは、上記ＭＷＭサーバから、ＤＩＣＯＭ規格の患者を特定した患者ＩＤを含む患者情報とその患者情報に属するＤＩＣＯＭ規格に無い患者特殊情報とをＭＷＭにより取得して受信するための患者規格情報・患者特殊情報受信手段と、
上記モダリティから、患者情報送信要求信号に応答して、上記患者規格情報・患者特殊情報受信手段で受信した上記患者情報を上記モダリティに送信するための患者情報送信手段と、
上記モダリティから、検査時の撮影画像と上記患者ＩＤとを含む画像情報を受信するための画像情報受信手段と、
上記画像情報受信手段で受信した上記画像情報の患者ＩＤと上記患者情報送信手段で送信した上記患者情報の患者ＩＤとを照合するための患者ＩＤ照合手段と、
上記患者ＩＤ照合手段で照合した照合結果が一致した場合のみ、上記画像情報受信手段で受信した上記画像情報に、上記患者規格情報・患者特殊情報受信手段で受信した上記患者特殊情報を付加して上記画像サーバに送信するための画像情報・患者特殊情報送信手段とを備えていることを特徴としている。
【００１１】
また、請求項２に記載の発明は、ＭＷＭサーバとモダリティと画像サーバとに、通信ネットワークを介してゲートウェイを接続し、ＤＩＣＯＭ規格に基づいて医療医療情報の送受信を行うシステムで用いられる医療情報送受信方法であって、
上記ゲートウェイは、上記ＭＷＭサーバから、ＤＩＣＯＭ規格の患者を特定した患者ＩＤを含む患者情報とその患者情報に属するＤＩＣＯＭ規格に無い患者特殊情報とをＭＷＭにより取得して受信するための患者規格情報・患者特殊情報受信ステップと、
上記モダリティから、患者情報送信要求信号に応答して、上記患者規格情報・患者特殊情報受信ステップで受信した上記患者情報を上記モダリティに送信するための患者情報送信ステップと、
上記モダリティから、検査時の撮影画像と上記患者ＩＤとを含む画像情報を受信するための画像情報受信ステップと、
上記画像情報受信ステップで受信した上記画像情報の患者ＩＤと上記患者情報送信ステップで送信した上記患者情報の患者ＩＤとを照合するための患者ＩＤ照合ステップと、
上記患者ＩＤ照合ステップで照合した照合結果が一致した場合のみ、上記画像情報受信ステップで受信した上記画像情報に、上記患者規格情報・患者特殊情報ステップ手段で受信した上記患者特殊情報を付加して上記画像サーバに送信するための画像情報・患者特殊情報送信ステップとを備えていることを特徴としている。
【発明の効果】
【００１２】
この発明の構成によれば、ＭＷＭサーバとモダリティと画像サーバとに、通信ネットワークを介してゲートウェイを接続することによって、ＤＩＣＯＭ規格に基づいて医療医療情報の送受信を行うシステムであって、上記ゲートウェイは、上記ＭＷＭサーバから、ＤＩＣＯＭ規格の患者を特定した患者ＩＤを含む患者情報とその患者情報に属するＤＩＣＯＭ規格に無い患者特殊情報とをＭＷＭにより取得して受信するための患者規格情報・患者特殊情報受信手段と、上記モダリティから、患者情報送信要求信号に応答して、上記患者規格情報・患者特殊情報受信手段で受信した上記患者情報を上記モダリティに送信するための患者情報送信手段と、上記モダリティから、検査時の撮影画像と上記患者ＩＤとを含む画像情報を受信するための画像情報受信手段と、上記画像情報受信手段で受信した上記画像情報の患者ＩＤと上記患者情報送信手段で送信した上記患者情報の患者ＩＤとを照合するための患者ＩＤ照合手段と、上記患者ＩＤ照合手段で照合した照合結果が一致した場合のみ、上記画像情報受信手段で受信した上記画像情報に、上記患者規格情報・患者特殊情報受信手段で受信した上記患者特殊情報を付加して上記画像サーバに送信するための画像情報・患者特殊情報送信手段とを備えている構成にしたので、ＤＩＣＯＭ規格のＭＷＭを使用して、ＭＷＭサーバからの患者情報と患者特殊情報とを取得し、モダリティからの画像情報に患者特殊情報を付加して画像サーバに登録するプロセスにおいて、ＤＩＣＯＭ規格の患者情報のみをモダリティに送信することにより、患者特殊情報を付加するためのモダリティ側の仕様の影響を受けることなく、モダリティからの画像情報に患者特殊情報を付加して画像サーバに登録することが容易になった。
これは、モダリティ毎にその仕様を考慮して、患者特殊情報のプライベートタグを設けて行う対応方法に比べ、その対応費用を軽減することができる。
【発明を実施するための最良の形態】
【００１３】
ＤＩＣＯＭ規格のＭＷＭを使用して、ＭＷＭサーバからの患者情報と患者特殊情報とを取得し、モダリティからの画像情報に患者特殊情報を付加して画像サーバに登録するプロセスにおいて、患者特殊情報を付加するためのモダリティ側の仕様の影響を受けることなく、ＤＩＣＯＭ規格に基づいた医療情報送受信システム及びその方法を提供するという目的を、ＭＷＭサーバと画像サーバとに通信ネットワークを介して、モダリティを付設したゲートウェイを接続することによって、ゲートウェイが、ＭＷＭサーバからの患者情報と患者特殊情報とを受信して、モダリティへ患者情報のみを送信し、モダリティから受信した画像情報に患者特殊情報を付加して画像サーバに送信することによって実現した。
以下、図面を参照して、この発明の実施の形態について説明する。説明は、実施例を用いて具体的に行う。
【実施例１】
【００１４】
図１は、この発明の実施例であるＤＩＣＯＭ規格に基づいた医療情報送受信システムの構成を示すブロック図、また、図２は、この発明の実施例であるゲートウェイ１０における処理手段２０の処理の流れ図である。
この例の医療情報送受信システムは、図１に示すように、ＭＷＭサーバ１と、画像サーバ３と、これらのＭＷＭサーバ１と画像サーバ３とにＬＡＮ４を介して接続され、検査時の撮影画像を含む画像情報を取得する超音波画像診断装置等のモダリティ２に付設したゲートウェイ１０とから構成されており、これらは、ＤＩＣＯＭ規格に対応している。
【００１５】
また、ＭＷＭサーバ１は、ＤＩＣＯＭ規格の患者を特定した患者ＩＤを含む患者情報とその患者情報に属するＤＩＣＯＭ規格に無い患者特殊情報とを備えている。
患者情報には、予め決められたＤＩＣＯＭタグ毎に、患者の名前、患者ＩＤ、患者の誕生日、患者の性別等の情報が格納されている。
患者特殊情報には、予め決められたＤＩＣＯＭタグのプライベートタグ毎に、患者の身長、患者の体重、患者データの信頼性・制約記述、児童大横径、大腿骨長、腹部周囲線、推定体重、胎児頭殿長等の情報が格納されている。
【００１６】
次に、図２は、この発明の実施例であるゲートウェイ１０における処理手段２０の処理の流れ図であり、処理手段２０は、以下の５手段から構成されている。
【００１７】
すなわち、ＭＷＭサーバ１からの患者情報と患者特殊情報を受信する患者規格情報・患者特殊情報受信手段２１、モダリティ２へ患者情報を送信する患者情報送信手段２２、モダリティ２から画像情報を受信する画像情報受信手段２３、患者ＩＤを照合する患者ＩＤ照合手段２４、及び画像サーバ３へ画像情報と患者特殊情報とを送信する画像情報・患者特殊情報送信手段２５である。
また、処理の順番としては、患者規格情報・患者特殊情報受信手段２１、患者情報送信手段２２、画像情報受信手段２３、患者ＩＤ照合手段２４、画像情報・患者特殊情報送信手段２５の順番に処理が実行される。
【００１８】
次に、図２を参照して、ゲートウェイ１０の処理手段２０が、ＭＷＭサーバ１とモダリティ２と画像サーバ３との間で医療医療情報の送受信を行う処理手順について説明する。
ステップ１：ゲートウェイ１０は、ゲートウェイ１０に接続されたカード読取装置（図示されていない）から、カード媒体に記録された患者を特定した患者ＩＤの入力を受け付けて、その患者ＩＤをＭＷＭサーバ１に送信する。
【００１９】
ステップ２：ＭＷＭサーバ１は、ゲートウェイ１０からの患者ＩＤを受信して、ＭＷＭによって、その患者ＩＤより該当する患者情報と患者特殊情報とを検索して取得し、その患者情報と患者特殊情報とをゲートウェイ１０に送信する。
【００２０】
ステップ３：ゲートウェイ１０の患者規格情報・患者特殊情報受信手段２１は、ＭＷＭサーバ１からの患者情報と患者特殊情報とが送信される迄、ウエイトし、ウエイト解除後に受信した患者情報と患者特殊情報とをゲートウェイ１０の所定のメモリ部（図示されていない）に登録する。
【００２１】
ステップ４：ゲートウェイ１０の患者情報送信手段２２は、モダリティ２からの患者情報送信要求信号に応答して、ステップ３の処理で登録した患者情報をメモリ部より取得してモダリティ２に送信する。
【００２２】
ステップ５：モダリティ２は、ゲートウェイ１０からの患者情報を受信して、その患者情報の患者ＩＤと検査時の撮影画像とをＤＩＣＯＭタグに付加した画像情報をゲートウェイ１０に送信する。
【００２３】
ステップ６：ゲートウェイ１０の画像情報受信手段２３は、モダリティ２からの患者ＩＤを含む画像情報を受信する。
【００２４】
ステップ７：次に、ゲートウェイ１０の患者ＩＤ照合手段２４は、ステップ４の処理で送信した患者情報の患者ＩＤをステップ３の処理で登録したメモリ部より取得し、その患者情報の患者ＩＤとステップ６の処理で受信した画像情報の患者ＩＤとを照合する。
【００２５】
ステップ８：次に、ゲートウェイ１０の画像情報・患者特殊情報送信手段２５は、ステップ７の処理で照合した患者情報の患者ＩＤと画像情報の患者ＩＤとの照合結果が一致の場合のみ、ステップ３の処理で登録したメモリ部より患者特殊情報を取得し、その患者特殊情報とステップ６の処理で受信した画像情報とをＤＩＣＯＭタグのプライベートタグに付加して画像サーバ３に送信する。
照合結果が不一致の場合は、ステップ６の処理で受信した画像情報をＤＩＣＯＭタグに付加して画像サーバ３に送信する。
【００２６】
ステップ９：画像サーバ３は、ゲートウェイ１０からの患者特殊情報と画像情報とを受信して、画像サーバ３の画像データベース（図示されていない）に登録する。
【００２７】
このように、この実施例の構成によれば、ＭＷＭサーバ１と画像サーバ３とにＬＡＮ４を介して、モダリティ２を付設したゲートウェイ１０を接続して、ＭＷＭサーバ１からの患者情報と患者特殊情報とを受信し、患者特殊情報をゲートウェイ１０の所定のメモリ部に登録して、モダリティ２へ患者情報のみを送信し、モダリティ２から受信した画像情報にメモリ部に登録した患者特殊情報を付加して画像サーバ３に送信することによって、患者特殊情報を付加するためのモダリティ側の仕様の影響を受けることなく、その対応費用を軽減することができ、電子カルテに含まれるモダリティ間における患者特殊情報の統一を図ることに繋げることができる。
【００２８】
以上、この発明の実施例を、図面を参照して詳述してきたが、具体的な構成はこの実施例に限られるものではなく、この発明の要旨を逸脱しない範囲の設計変更等があってもこの発明に含まれる。
例えば、上述の実施例では、ゲートウェイ１０は、モダリティ２毎に付設した実施例を示したが、複数のモダリティ２に１台のゲートウェイを接続する構成にしても良い。
【産業上の利用可能性】
【００２９】
この発明は、ゲートウェイ１０に登録する情報を患者特殊情報に限定することなく、ＤＩＣＯＭ規格に対応したモダリティ側の仕様に制限される医療医療情報の送受信についても適用することができる。
【図面の簡単な説明】
【００３０】
【図１】この発明の実施例であるＤＩＣＯＭ規格に基づいた医療情報送受信システムの構成を示すブロック図である。
【図２】この発明の実施例であるゲートウェイ１０における処理手段２０の処理の流れ図である。
【符号の説明】
【００３１】
１  ＭＷＭサーバ
２  モダリティ
３  画像サーバ
４  ＬＡＮ
１０  ゲートウェイ
２０  処理手段
２１  患者規格情報・患者特殊情報受信手段
２２  患者情報送信手段
２３  画像情報受信手段
２４  患者ＩＤ照合手段
２５  画像情報・患者特殊情報送信手段
【図１】
2005196253.tif 000003
【図２】
2005196253.tif 000004